(57)【要約】【課題】  本発明は、屋根の法面における降雪の滑落阻止を目的とするとともに、同時に溶解作用を起すことによって積雪凍結状態を早期に解消する構造から成る雪止め具を提供することを目的とする。【解決手段】  正面部に立設する雪止め部材１が線材又は網材によって構成される屋根用雪止め具である。正面部に立設する雪止め部材の山形線材３をその左右両側部の縦側線材４，４とその中間部の縦中線材５，５が支持し、この左右縦側線材と中間縦中線材との中間に横中間線材６を，その底辺部に前横底線材７と後横底線材１０をそれぞれ架設し、このように成る雪止め部材の背面部に前記縦側線材の延長線上に水平に後側線材８，８を，前記縦中線材の延長線上に水平に後中線材９，９をそれぞれ設け、このように成る雪止め本体の背面底部には任意構成の取付部材２を設置して成る屋根用雪止め具である。【選択図】    図１
2013238009.tif 000002
【特許請求の範囲】
【請求項１】
正面部に立設する雪止め部材が線材又は網材によって構成されることを特徴とする屋根用雪止め具。
【請求項２】
正面部に立設する雪止め部材の山形線材をその左右両側部の縦側線材とその中間部の縦中線材が支持し、この左右縦側線材と中間縦中線材との中間に横中間線材を，その底辺部に前横底線材と後横底線材をそれぞれ架設し、このように成る雪止め部材の背面部に前記縦側線材の延長線上に水平に後側線材を，前記縦中線材の延長線上に水平に後中線材をそれぞれ設け、このように成る雪止め本体の背面底部には任意構成の取付部材を設置して成ることを特徴とする屋根用雪止め具。
【請求項３】
正面部に立設する雪止め部材が周枠材又は周枠杆の内側に網材を設けて成る雪止め本体とこの本体の背面底部に任意構成の取付部材を設置して成ることを特徴とする屋根用雪止め具。
【請求項４】
雪止め本体の背面底部に設置した取付部材と雪止め部材の山形線材との間に複数の支持杆を架設して成る請求項２に記載した屋根用雪止め具。
【請求項５】
雪止め本体の背面底部に設置した取付部材と雪止め部材の周枠材又は周枠杆との間に複数の支持杆を架設して成る請求項３に記載した屋根用雪止め具。
【発明の詳細な説明】
【技術分野】
【０００１】
本発明は、勾配角度を問わない屋根用の雪止め具に関するものである。
【背景技術】
【０００２】
従来から存する屋根用雪止め具は、屋根面への降雪が積雪となった後の滑落を専ら阻止するストッパー機能を果すことを目的として創作されており、例えば、次のようなものが公知となり、普及している。
【０００３】
しかしながら、これらの用具は羽根板によって専ら雪止め機能の発揮を狙ったものであるため、長期間凍結状態のまま屋根面に残り、その溶解は専ら日照を期待するしか考え方はなかった。
【先行技術文献】
【特許文献】
【０００４】
【特許文献１】登録実用新案第３０４００７９号公報
【特許文献２】意匠登録第９６９４０３号公報
【特許文献３】意匠登録第１３５２３９１号公報
【特許文献４】意匠登録第１３８３７３５号公報
【発明の概要】
【発明が解決しようとする課題】
【０００５】
そこで、本発明は、屋根の法面における降雪の滑落阻止を目的とするとともに、同時に溶解作用を起すことによって、積雪凍結状態を早期に解消する構造から成る雪止め具を提供することを目的とするものである。
【課題を解決するための手段】
【０００６】
本発明は、正面部において、任意の山形状に成る線材をその左右両側部の縦側線材とその中間部の縦中線材が支持し、前記左右縦側材と中間縦中線材との中間に横中間線材を，その底辺部に前横底線材と後横底線材をそれぞれ架設して成る雪止め本体と、この雪止め本体の背面部に前記縦側線材の延長線上に水平に後側線材を，前記縦中線材の延長線上に水平に後中線材をそれぞれ設けて成るものである。
【０００７】
また、本発明は、正面部において、周枠材の内側に亀甲状の網材を設けて成る雪止め本体である。
【０００８】
また、本発明は、正面部において、周枠杆の内側にジグザグ状の網材を設けて成る雪止め本体である。
【０００９】
さらに、本発明は、正面部において、周枠杆の内側に弯曲折して菱目状に編成した網材を設けて成る雪止め本体である。
【００１０】
以上のように構成した雪止め本体の背面部には、任意構成の取付部材を設置して成るものである。
【発明の効果】
【００１１】
勾配角度を有する屋根面に設置する雪止め具にあっては、単に積雪の滑落を阻止するためだけの器具では融雪機能がないから、消雪効果を期待することはできなかったのに対し、本発明にあっては積雪の滑落阻止をするための羽根板ではなく、縦横に組み合わせた線材や網材によって雪止め本体を構成しているから、積雪の滑落阻止とともに溶解促進の目的を達成することができるようになり、したがって長期間にわたる凍結状態も解消することができるようになる。
【図面の簡単な説明】
【００１２】
【図１】実施例１の正斜視図
【図２】実施例１の背斜視図
【図３】実施例２の正斜視図
【図４】実施例２の背斜視図
【図５】実施例３の正斜視図
【図６】実施例３の背斜視図
【図７】実施例４の正斜視図
【図８】実施例４の背斜視図
【発明を実施するための形態】
【００１３】
図１及び図２に示した実施例１にあっては、屋根面上に適当間隔をおいて多数個の用具を千鳥状に設置するが、積雪はその雪止め本体に接して停止状態になるから、滑落は阻止される。
【００１４】
ところが、それのみならず、雪止め本体が線材による組み合わせによって構成されていることから、線材間の空間部を流通する日中の空気が停止状態にある積雪に対して溶解するようになり、日照と相俟って積雪の消去が促進され、凍結状態が起こらないようになる。
【００１５】
また、図３乃至図８に示した実施例２〜４にあっては、前記実施例と同様に、屋根面上の積雪は各雪止め本体によって停止状態を維持するから、滑落は阻止されるが、同時に網材が有する多数の間隙による空間部を流通する日中の空気が停止している積雪に対して溶解するようになり、日照と相俟って積雪の消去が促進されるようになるのである。
【実施例１】
【００１６】
４つの実施例について、各図面に基づいて説明する。先ず、図１及び図２に示す第１実施例の用具にあっては、雪止め本体１と取付部材２とから成る。
【００１７】
この雪止め本体１は主として線材から構成するもので、この線材は正面部において、左右対称に成る山形線材３をその左右両側部の縦側線材４，４及びその中間部の縦中線材５，５が支持し、前記左右縦側線材と中間縦中線材との中間に横中間線材６を，その底辺部に前横底線材７をそれぞれ架設する。前記雪止め本体１の左右対称の山形線材３は左右直線形状に限らず、弯曲形状にしてもよい。
【００１８】
雪止め本体１の正面部における前記左右縦側線材４，４及び中間縦側線材５，５の構成は、その背面底部において、左右両側部の後側線材８，８及び中間部の後中線材９，９が延設し、この後側線材と後中線材の各後端部間には後横底線材１０が架設する。
【００１９】
このようになる雪止め本体１は側面視略Ｌ形状に成る。
【００２０】
前記平面部における前横底線材７と後横底線材１０との中間部の前寄り底面部の左右両側部には基板１１，１１を設ける。
【００２１】
この左右両基板１１，１１には、任意形状に成る取付部材２の前端部１２，１２が連結する。
【００２２】
また、雪止め本体１の山形線材３の一部と取付部材２との間には支持杆３０，３０を架設する。
【実施例２】
【００２３】
図３及び図４に示す第２実施例にあっては、雪止め本体１３と取付部材１４とから成る。
【００２４】
この雪止め本体１３は、周囲の枠材１５及びこの内側に設けた亀甲状の網材１６から成る。
【００２５】
前記雪止め本体１３の枠材１５の底側部には、任意形状に成る取付部材１４の前端部が連結する。
【００２６】
また、雪止め本体１３の枠材１５の一部と取付部材１４との間には支持杆１７，１７を架設する。
【実施例３】
【００２７】
図５及び図６に示す第３実施例にあっては、雪止め本体１８と取付部材１９とから成る。
【００２８】
この雪止め本体１８は、山形状に成る周囲の枠杆２０及びこの内側に設けたジグザグ状の網材２１を側面視略Ｌ形状に形成する。この網材２１と枠杆２０とから成る本体１８の左右両側端部には補強板２２，２２を設ける。
【００２９】
前記雪止め本体１８の網材２１及び枠杆２０の中央底側部には基板２３を設け、この基板には任意形状に成る取付部材１９の前端部が連結する。
【００３０】
また、雪止め本体１８の枠杆２０の一部と取付部材１９との間には支持杆２４，２４を架設する。
【実施例４】
【００３１】
図７及び図８に示す第４実施例にあっては、雪止め本体２５と取付部材２６とから成る。
【００３２】
この雪止め本体２５は、周囲の枠杆２７及びその内側に大きく弯曲折して菱目状に編成した網材２８から成る。
【００３３】
前記雪止め本体２５の枠杆２７及び網材２８の中央底側部には、基板を介して又は介さずして、任意の取付部材２６の前端部が連結する。
【００３４】
また、雪止め本体２５の枠杆の一部と取付部材２６との間には支持杆２９，２９を架設する。
【符号の説明】
【００３５】
１                            雪止め本体
２                            取付部材
３                            山形線材
４，４                        縦側線材
５，５                        縦中線材
６                            横中間線材
７                            前横底線材
８，８                        後側線材
９，９                        後中線材
１０                          後横底線材
１１，１１                    基板
１２，１２                    前端部
３０，３０                    支持杆
１３                          雪止め本体
１４                          取付部材
１５                          枠材
１６                          網材
１７，１７                    支持杆
１８                          雪止め部材
１９                          取付部材
２０                          枠杆
２１                          網材
２２，２２                    補強板
２３                          基板
２４，２４                    支持杆
２５                          雪止め本体
２６                          取付部材
２７                          枠杆
２８                          網材
２９，２９                    支持杆
【図１】
2013238009.tif 000003
【図２】
2013238009.tif 000004
【図３】
2013238009.tif 000005
【図４】
2013238009.tif 000006
【図５】
2013238009.tif 000007
【図６】
2013238009.tif 000008
【図７】
2013238009.tif 000009
【図８】
2013238009.tif 000010